(57)【要約】      （修正有）【課題】低コストで環境汚染の少ない砂漠の緑化、地球温暖防止、漁業資源対策システムを提供する。【解決手段】筵浮体１の藁の茎方向に対して直角に両側に荒縄１−１を取り付ける。筵の裏側には間隔をおいて藁の茎方向に沿って横幅の長さの荒縄や竹、葦などを浮体１−２として取り付ける。【選択図】図１
2020079546.tif 000002
【特許請求の範囲】
【請求項１】
河川、湖、海にパピルス、葦、い草、まこも、竹、麦藁、稲藁、サトウキビ、樹木、もみ殻、枯れ葉などで構成した浮体を浮かべた砂漠の緑化、地球温暖防止、漁業資源対策システム
【請求項２】
パピルス、葦、い草、竹、藁、樹木などで構成した浮体に凹部を設けて水溜まりを構成した砂漠の緑化砂漠、地球温暖防止システム
【請求項３】
竹、樹木を縦方向に二つに割って、内部を水溜りにした浮体による砂漠の緑化、地球温暖防止、漁業資源対策システム
【請求項４】
パピルス、葦、い草、まこも、竹、麦藁、稲藁、サトウキビ、樹木、枯れ葉をチップに裁断したもの、更にはもみ殻を水面上に散布する砂漠の緑化、地球温暖防止、漁業資源対策システム
【請求項５】
パピルス、葦、い草、竹、麦藁、稲藁、樹木などで構成した浮体の表面を加熱などにより、黒色に構成した砂漠の緑化、地球温暖化システム
【請求項６】
パピルス、葦、い草、竹、麦藁、稲藁、樹木などで構成した浮体の表面を泥染めの方法で、黒色に構成した砂漠の緑化、地球温暖化システム
【請求項７】
パピルス、葦、い草、竹、麦藁、稲藁、樹木などで構成した浮体を寒流に錨で係留するかまたは寒流が流れる島に係留する、砂漠の緑化、地球温暖化防止、漁業資源対策システム
【請求項８】
パピルス、葦、い草、まこも、竹、麦藁、稲藁、樹木、もみ殻などで構成した浮体を寒流に浮遊させる砂漠の緑化、地球温暖化防止、漁業資源対策システム
【請求項９】
パピルス、葦、い草、竹、麦藁、稲藁、樹木などで構成した浮体を河川、湖沼、海に係留させる地球温暖化防止、漁業資源対策システム
【発明の詳細な説明】
【技術分野】
【０００１】本発明はまた寒流に蒸発用浮体を浮かべて周辺の砂漠に雨を降らせる砂漠の緑化を図るものである。次に河川、湖沼、海の水面に蒸発用浮体を浮かべて、雲を発生させ地球温暖化を図るものである。次に流れ藻の代替として漁業資源対策を行うものである。
【背景技術】
【０００２】サハラなどでは砂漠の近くに寒流が流れ、寒流では海水が蒸発しにくく、また海水付近の空気も暖まらないため、上昇気流が生じにくい。この結果砂漠気候が出来る。この対策として発明者は特開昭５７−４５０３２８により、寒流に黒色のプラスチックシートによる海水溜まりを構成する提案を行った。当時、大手商事会社を通じて広くこの方法について啓蒙を行った。その後、関連技術が出てきた。清水建設（株）が砂漠の中に海水を導入した人造湖を造成し、水蒸気の発生を促す方法を発表した。この方法は当時の雑誌「東洋経済」の表紙を飾り、話題になった。この清水建設の人造湖の提案に関して２００２年２月誌名「水位科学」ＩＳＳＮ番号００３９４８５著者山口等が「砂漠開発のための海水人造湖の有効な水面面積算出の試み」を発表している。また、２０１０年情報総合研究所の柳下和夫がＭＡＣＲＯ  ＲＥＶＩＥＷ＜Ｖｏｌ，２２，Ｎｏ２，３１−３６，２０１０において「沿海部の砂漠に雨を降らす方法」を発表している。この方法は発明者の特開昭５７−４５０３２８と同じ発想の方法である。情報総合研究所所属柳下の実験では屋上にプラスチック製容器を置き、その中に水道水と水道水に重量比で３．５％の食塩水を入れ、その上に▲１▼黒い発泡スチロール球、▲２▼黒いビニールフィルム、▲３▼寒冷紗（透光率３０％）、▲４▼寒冷紗（透光率５０％）、▲５▼カーボンブラック粉、を水面に浮かべ、太陽光下で一定時間の水の蒸発量を深さで測った。比較のために浮遊物▲６▼無しも測定した。この論文について、２件の引き合いがきた。エジプトのタンタ大学の副学長二人が来日し、ナイル川上流の国がダムを作るとエジプトに水が来なくなる。この対策としてこの方法を研究したいとの事であった。研究予算の関係で断った。アルジェリアのサハラ砂漠で植林のコンサルタントをしているフランスからコンサルタント２名が来日した。研究費の関係で断った。またアメリカのオクラホマ大学の教授から招待講演の話があったが、海に黒い物質を撒くことに環境論者の反対があり、実現しなかった。オーストラリアでは砂漠の地下に岩塩層があり、雨が降ると塩が地上に出てきて植物が枯れると反対された。【０００３】地球温暖化は雲の発生量との関係が注目され研究が進んでいる。雲が多くなると雲の日傘効果で気温が下がる効果と熱の遮蔽効果で気温を逆に上げる効果があるが、相殺して気温を下げると言われている。海上で１０００ｍの高さに海水を小さな水粒にして散布する方法が提案されている。目的は大気中で雲粒の素となる凝結核を増やすことによって（蒸発量を増やすのが主目的ではない）白い雲の量を増やし、その雲が太陽光を反射することによって地球を冷やす方法である。ビル・ゲイツが出資していると言われている。実験では１０，０００ｋｍ２の範囲で１０隻の船を用いて行うという。ちなみにこの方法で地球温暖化を止めるには１９００隻の船と７０億ドルが必要と言われている。
【先行技術文献】
【特許文献】
【０００４】
【特許文献１】特開昭５７−４５０３２８
【発明の概要】
【発明が解決しようとする課題】
【０００５】特開昭５７−４５０３２８及び柳下の「沿海部の砂漠に雨を降らす方法」はプラスチック材料を使用した提案をしている。しかしながら、プラスチック材料を使用する方法は石油資源を消費し、コスト高であり、なおかつ最近問題化しているマイクロプラスチックによる海洋汚染の問題がある。柳下の論文はプラスチック類とマイクロカーボンブラックの提案であった。マイクロカーボンブラックは表面に様々な官能基が残存しており、これが発がん性の危険があると国際がん研究所（ＩＡＲＣ）はグループ２Ｂ（ヒトに対する発がん性が疑われる）に分類している。【０００６】地球温暖化防止対策に方法として提案されている海上に１０００メートルの高さに海水を小さな水粒にして散布する方法はイニシャルコスト及びランニングコストが膨大であることが問題である。【０００７】次に海に浮かんで漂流する流れ藻が近年減少しており、漁業資源の確保にとってその対策が望まれている。海面にかたまって漂う流れ藻には大洋性の魚類の稚魚や、ヨコエビやワレカラなどの端脚類といった小型の節足動物などが集まる。また、流れ藻はブリやアジなどの重要水産資源の稚仔魚が随伴したり、サンマなどのダツ目魚類が産卵基質にしたりと水産上、重要な役割を果たしている。これはある意味で、隠れるものの少ない海洋水面近くにおける一種のシェルターの役割を果たす。さらにハナオコゼなどそれに住み着いて生活するものもある。このように流れ藻は沿岸ー沖合、および沖合ー沖合での生物の移動に関係する媒体となっている。しかし、近年の日本沿岸では開発や埋め立てなどが進み、流れ藻のもととなるガラモ場が減少している。［２］また、世界的な海水温上昇の影響で藻場の構成種が変化し［３］、原因不明の磯焼け現象が増加していることが報告されている。
【課題を解決するための手段】
【０００８】本発明は前記の課題を解決する方法として、プラスチック材料の代わりににパピルス、葦、い草、まこも、竹、麦藁、稲藁、サトウキビ、樹木、もみ殻、枯れ葉などの天然材料を使用する方法で、低コストで海洋汚染の可能性の少ない手段を提案するものである。【０００９】パピルス、葦、い草、藁などを筵方式やござ、畳方式で構成する。筵の藁茎方向に直角に両側に荒縄を取り付ける。筵の裏側には間隔をおいて藁の茎方向に荒縄や竹、葦などを浮体として取り付ける。両側を荒縄で仕切られた竹や葦の間の筵は垂れ下がって内部に水を溜める。【０００１０】竹、樹木を縦方向に半分に割って、その内部を水溜りにする方法も出来る。竹の場合は両端に節で閉じられた浮体部を設ける。水が入る部分には通水用の直径１ｍｍ程度の孔を設ける。【００１１】パピルス、葦、い草、竹、麦藁、稲藁、サトウキビ、樹木をチップに裁断したものを行ったものを水上に散布する。
もみ殻は比重０．２５と浮力に優れている。黒化処理は不活性ガス雰囲気で加熱する方法が出来る。【００１１】以上述べた構成の筵の表面は不活性ガス雰囲気で表面を熱ロールなどで炭化、黒色にすることが出来る。その他の材料はバーナーで炙って出来る。焦がした植物の表面にはアクリルアミドが発生する。アクリルアミドは有害物質である。しかし、環境排出されたアクリルアミドは主に生分解により、除去される。【００１２】泥染めの方法で材料を染めることが出来る。染色の一方法。タンニンを含有している植物の煎汁（せんじゅう）に、糸や裂地（きれじ）を浸（つ）け、これに鉄を媒染して、茶から黒に至る染め色をつくること。古くから世界の各地で行われており、現在は硫酸第一鉄などの化学薬品や、鉄を酸化させてつくった鉄漿（かね）（おはぐろ）が多く用いられるが、古くは鉄分を含んだ沼や川の泥に浸けて、鉄媒染を行った。これを泥染めといい、現在でも八丈島、奄美（あまみ）大島、沖縄などでは行われている。
以上述べた構成は表面は鉄媒染で使われる媒染液によって黒く染め、光の吸収率を向上できる。鉄分は昆布などを育てる成分である。海中の昆布などを育てる事が最近注目されている。海の森林として温暖化を防ぐ効果からブルーカーボンと呼ばれている。日本製鉄が漁業組合と共同研究し、鉄分を含んだ砂利を使った実験に成功している。【００１４】パピルス、葦、い草、まこも、竹、麦藁、稲藁などで構成した筵状の浮体は河川湖沼、海に係留する。カナリヤ寒流ではマデイラ諸島、カナリヤ諸島など、周囲が寒流の流れる島に係留する。【００１５】パピルス、葦、い草、まこも、竹、麦藁、稲藁、樹木などで構成した筵状の浮体は河川、湖沼、海に浮遊させる。流れの遅いカナリヤ寒流（流速１ノット以下）や紅海、地中海、カスピ海などの湖、湾に浮遊させる方法の他、地球全域の水面に浮遊させる方法により、水の蒸発を促進する。【００１６】  パピルス、葦、竹、藁、樹木などによる蒸発用浮体を筵状に構成し、河川、湖沼、海に係留し、または浮遊させ、漁業資源対策とする。
【発明の効果】
【００１７】ノルウェーの人類学者ヘイエルダールは、１９６９年、「アステカ文明はエジプト文明と類似しており、エジプトからの移民が作った文明ではないか」と考え、古代エジプトの葦製の船に大西洋を渡る能力があることを証明するため、パピルスと呼ばれる葦で作った船「ラー号」で、モロッコのサフィからカリブ海を目指した。ラー号は５０００ｋｍを航海したところで破損したが、一年後の「ラー２号」による再挑戦ではカリブ海のバルバドス島まで到達した。なお、この時の航海には日本人カメラマンも同行した。この例で海洋におけるパピルスの耐久性が証明されている。【００１８】パピルス、葦、竹、藁、樹木などの天然材料は低コストであり、マイクロプラスチックのような海洋汚染の可能性も小さい。【００１９】パピルス、葦、竹、藁、樹木などを歴史的使われてきた筵状やござ、畳状に加工することで強度が増す。筵の生産は機械化されており、自動ラインによる生産が可能である。【００２０】パピルス、葦、竹、藁、樹木などの筵の裏側に縄、竹、葦を取り付けて水溜まりを構成できる。【００２１】パピルス、葦、竹、藁、樹木などの筵の周囲を浮体のメインロープで囲い、その中を浮体の網で支持した基本構造にする事で、筵の拡散を防ぎ、沈降を防ぐことが出来る。カナリヤ諸島などの周囲が寒流の中に係留することで、設置工事が容易でメンテナンスもし易い。【００２２】地球上の河川、湖沼、海に本発明の水蒸気発生浮体を設置することで、地球上の雲の発生量を増し、地球温暖化に役立てる事ができる。雲は日傘効果と反対の断熱効果があるが、日傘効果の方が非常に大きく、地球温暖化に役立つ。【００２３】東京大学大気海洋研究所を含む日・智・仏３大学の共同研究グループは、流れ藻が深海への炭素貯留に寄与することを発見した。藻場を形成する海産大型植物（海藻、海草）は、海洋表層のＣＯ２を吸収・固定した後に沿岸から離脱して「流れ藻」となり、沖合で深海に堆積すると考えられているが、その実態については海域を限定した報告や定性的な研究にとどまっていた。同研究グループは、２００８〜２０１０年（春・夏・秋）に行われた海底トロール調査の採集物（東北地方太平洋沖、底深４０〜１８００ｍ）を調べ、沖合の平坦な海底上に多様な海産大型植物が堆積していることを確認した。また、腐敗の度合いの評価や粒子追跡シミュレーション等により、堆積量に明瞭な季節変化が見られることを解明し、堆積量が多い褐藻の起源藻場と流出時期・流出経路の推定に成功した。流れ藻の継続的な供給（炭素貯留）には定常的な海流が関与しており、植物プランクトンの沈降とは異なる、新たな海洋炭素循環経路の存在を裏付けることができたという。本発明の蒸発用浮体はパピルス、葦、い草、まこも、竹、麦藁、稲藁、樹木であり、これらの植物を海に浮遊させる方法は炭素貯蓄の一方策になる可能性がある。即ち、本発明の水面用蒸発体が最後には深海に沈んでそのまま、炭素貯蓄にあり得るからである。植物は燃焼させたり、土壌で分解させたりする事でＣＯ２を発生させると植物が育つ過程で光触媒作用で取り込んだＣＯ２はそのまま、地球上に戻ってしまう。これが本発明により、深海に綴じ込められる事になる。大きな効果である。【００２４】以上述べたように本発明は砂漠の緑化、地球温暖化防止漁業資源対策に役立つシステムである。
【図面の簡単な説明】
【００２５】
【図１】は本発明の蒸発用浮体の一実施例を示す斜視図である。
【図２】は本発明を説明する地図である。
【発明を実施するための形態】
【００２６】本発明を実施の形態を図によって説明する。
図１は本発明の蒸発用浮体の一実施例の斜視図である。筵浮体１の藁の茎方向に対して直角に両側に荒縄１−１を取り付ける。筵の裏側には間隔をおいて藁の茎方向に沿って横幅の長さの荒縄や竹、葦などを浮体１‐−２として取り付ける。
図２は本発明の構成を示す地図である。カナリヤ寒流１１、マデイラ諸島１２、カナリヤ諸島１３、乾燥風１４、サハラ砂漠１５を示す。
【符号の説明】
【００２７】１：蒸発用浮体
１−１；筵浮体
１−２：縄
１−３：荒縄、竹、葦などの浮体
１１：カナリヤ寒流
１２：マデイラ諸島
１３：カナリヤ諸島
１４：乾燥風
１５：サハラ砂漠
【図１】
2020079546.tif 000003
【図２】
2020079546.tif 000004